(57)【要約】【課題】着脱可能な排除券容器に紙葉類の検査結果を記憶することにより、オフライン使用が可能な排除券処理機を有する紙葉類処理システムを提供する。【解決手段】区分カードＣ及び紙葉類Ｐを紙葉類処理装置３０に供給すると、区分カードＣの固有情報及び紙葉類Ｐの検査結果が、排除券容器４０の記憶部（不揮発メモリ）４０ｂに記憶される。また、排除券容器４０を排除券処理機４に取付けると、上記記憶部４０ｂに記憶されたデータは読取られ、記憶部４９１に記憶される。操作員が、排除券処理容器４０に収納されている区分カードＣ及び排除券Ｐｒを排除券処理機４に供給すると、区分カードＣの固有情報及び排除券Ｐｒの検査結果は記憶部４９１に保存され、検査不能券は排除される。操作員が確認、計数し操作・表示部４１から入力した入力データと記憶部４９１に記憶された区分カードＣの固有情報に基づく紙葉類Ｐの検査データが照合される。【選択図】図１
2009064194.tif 000002
【特許請求の範囲】
【請求項１】
紙葉類を区分処理する紙葉類処理装置と、この紙葉類処理装置によって区分された排除券を処理する排除券処理装置と、を備えた紙葉類処理システムであって、
前記紙葉類処理装置は、
一括して供給された紙葉類及びこの紙葉類に挿入された区分カードからなる媒体を１枚ずつ取り出す取出手段と、
この取出手段によって取り出された前記媒体を搬送する搬送手段と、
この搬送手段によって搬送された前記区分カードを読取る第１のカード読取手段と、
前記搬送手段によって搬送された前記紙葉類を検査する第１の検査手段と、
この第１の検査手段の検査結果に基づいて区分された排除券を集積する第１の排除券集積手段と、
前記第１の排除券集積手段に集積された排除券を収納する収納手段と、
この収納手段に設けられた不揮発メモリからなる第１の記憶手段と、
この第１の記憶手段に前記第１のカード読取手段で読取った前記区分カードの固有情報及び前記第１の検査手段の検査結果を記憶する第２の記憶手段と、
を備え、
前記排除券処理装置は、
前記紙葉類処理装置の前記収納手段に収納された排除券を処理する装置であって、
前記収納手段と当該排除券処理装置を電気的に接続する接続手段と、
この接続手段によって接続されたとき、前記第１の記憶手段に記憶された情報を読取る読取手段と、
前記収納手段に収納された区分カードを読取る第２のカード読取手段と、
前記収納手段に収納された前記排除券を検査する第２の検査手段と、
この第２の検査手段の検査結果に基づいて区分された排除券を集積する第２の排除券集積手段と、
前記読取手段によって読取られた情報、前記第２のカード読取手段によって読取られた区分カードの固有情報、前記第２の検査手段の検査結果を記憶する第３の記憶手段と、
前記区分カードの固有情報を基に当該区分カードによる検査単位ごとの前記第３の記憶手段に記憶された情報及び前記第２の検査手段の検査の結果排除された第２の排除券集積装置に排除された排除券情報を基に供給された前記紙葉類の処理量を照合する照合手段と、
を備えたことを特徴とする紙葉類処理システム。
【請求項２】
前記収納手段は、
前記紙葉類処理装置又は前記排除券処理装置に着脱可能に取付けられ、当該着脱によって、当該収納手段と前記紙葉類処理装置又は前記排除券処理装置が電気的にオン又はオフできることを特徴とする請求項１記載の紙葉類処理システム。
【請求項３】
一括して供給された紙葉類及びこの紙葉類に挿入された区分カードからなる媒体を１枚ずつ取り出す取出手段と、
この取出手段によって取り出された前記媒体を搬送する搬送手段と、
この搬送手段によって搬送された前記区分カードを読取る第１のカード読取手段と、
前記搬送手段によって搬送された前記紙葉類を検査する第１の検査手段と、
この第１の検査手段の検査結果に基づいて区分された排除券を集積する第１の排除券集積手段と、
前記第１の排除券集積手段に集積された排除券を収納する収納手段と、
この収納手段に設けられた不揮発メモリからなる第１の記憶手段と、
この第１の記憶手段に前記第１のカード読取手段で読取った前記区分カードの固有情報及び前記第１の検査手段の検査結果を書込む書込手段と、
を備えたことを特徴とする紙葉類処理装置。
【請求項４】
処理単位の紙葉類を区分処理する紙葉類処理装置により区分処理された排除券と、前記処理単位の紙葉類の固有情報が記録された区分カードが収納された収納手段を着脱可能に取付ける接続手段と、
この接続手段によって前記収納手段が接続されたとき、前記収納手段に配置された第１の記憶手段に記憶された情報を読取る読取手段と、
前記収納手段に収納された区分カードを読取る第２のカード読取手段と、
前記収納手段に収納された前記排除券を検査する第２の検査手段と、
この第２の検査手段の検査結果に基づいて区分された排除券を集積する第２の排除券集積手段と、
前記読取手段によって読取られた情報、前記第２のカード読取手段によって読取られた区分カードの固有情報、前記第２の検査手段の検査結果及び第２の検査手段によって裁断された裁断情報を記憶する第２の記憶手段と、
前記区分カードの固有情報を基に当該区分カードによる検査単位ごとの前記第２の記憶手段に記憶された情報及び前記第２の検査手段の検査の結果排除された第２の排除券集積装置に排除された排除券情報を基に前記供給された紙葉類の処理量を照合する照合手段と、
を備えたことを特徴とする排除券処理装置。
【発明の詳細な説明】
【技術分野】
【０００１】
本発明は、有価証券などの紙葉類を処理する紙葉類処理システムと、それを構成する紙葉類処理装置及び排除券処理装置に関する。
【背景技術】
【０００２】
有価証券などの紙葉類を処理する紙葉類処理装置は、処理単位に応じて一括して投入された紙葉類と、その紙葉類の最上面又は最下面に挿入された処理単位を区分するための区分カードを、１つの処理単位として供給した供給部から取出装置によって１枚ずつ取出して搬送し、カード読取装置又は紙葉類検査装置によって真偽判別（真券か、偽券か）及び正損判別（真券で際流通可能な正券か、真券で再流通不可能な損券か）を行い、正券、損券又は排除券に区分する装置である。
【０００３】
正券は、集積装置に搬送され、１００枚毎に結束帯で結束され把が形成される。また、損券は、再流通不可能なことから裁断装置によって裁断され排出される。一方、排除券には、２枚取り券、偽券及び区分カードなどが含まれ、処理単位毎に排除券容器に収納される。
【０００４】
従来、上記処理単位毎に紙葉類処理装置に供給した紙葉類の枚数・種類と、当該紙葉類処理装置で処理された枚数・種類及び排除券容器に収納された枚数・種類の突合せ確認（照合）を行っている。この突合せ方法に関し、第１の方法は、紙葉類処理装置で紙葉類を処理した際に発生した排除券を取出して計数し、その種類・枚数を操作部から入力して付き合せ（照合）を行う方法である。
【０００５】
第２の方法は、紙葉類処理装置、排除券処理装置及びファイルサーバをネットワークで接続した紙葉類処理システムを構成する。紙葉類処理装置で処理された紙葉類は区分カード情報と共にファイルサーバに保存される。一方、当該区分カードと共に収納された排除券は、区分カードのＩＤ（固有情報）と共に、排除券処理装置からその枚数・種類がキー入力される。この入力された情報が、ファイルサーバに保存されている紙葉類処理装置で処理されたデータと照合される（例えば、特許文献１参照。）。
【特許文献１】特開２００１−２４３５１９号公報  （第５−６頁、図３）
【発明の開示】
【発明が解決しようとする課題】
【０００６】
しかしながら、特許文献１記載の紙葉類処理装置では、紙葉類処理装置の検査結果の送信や排除券処理装置での受信データ転送が発生するため、１つのシステムに接続できる紙葉類処理装置や排除券処理装置の台数には限界があった。また、システム内の紙葉類処理装置の検査結果を別のシステムに属する排除券処理機で処理するには、システム間の接続などに制約が発生することや、オフラインの排除券処理機を用いた処理ができないため、システム構成をフレキシブルにできないと言う課題があった。
【０００７】
本発明は、上記課題を解決するためになされたもので、上記排除券容器を排除券処理装置と接続することにより、排除券容器に収納された排除券情報を排除券処理装置に転送し、当該排除券処理装置で実際に当該排除券容器の排除券を処理したデータと付き合わせることにより、排除券処理装置をフレキシブルに利用することを可能にすることを目的とする。
【課題を解決するための手段】
【０００８】
上記目的を達成するために、本発明の請求項１記載の紙葉類処理システムは、紙葉類を区分処理する紙葉類処理装置と、この紙葉類処理装置によって区分された排除券を処理する排除券処理装置と、を備えた紙葉類処理システムであって、前記紙葉類処理装置は、一括して供給された紙葉類及びこの紙葉類に挿入された区分カードからなる媒体を１枚ずつ取り出す取出手段と、この取出手段によって取り出された前記媒体を搬送する搬送手段と、この搬送手段によって搬送された前記区分カードを読取る第１のカード読取手段と、前記搬送手段によって搬送された前記紙葉類を検査する第１の検査手段と、この第１の検査手段の検査結果に基づいて区分された排除券を集積する第１の排除券集積手段と、前記第１の排除券集積手段に集積された排除券を収納する収納手段と、この収納手段に設けられた不揮発メモリからなる第１の記憶手段と、この第１の記憶手段に前記第１のカード読取手段で読取った前記区分カードの固有情報及び前記第１の検査手段の検査結果を記憶する第２の記憶手段と、を備え、前記排除券処理装置は、前記紙葉類処理装置の前記収納手段に収納された排除券を処理する装置であって、前記収納手段と当該排除券処理装置を電気的に接続する接続手段と、この接続手段によって接続されたとき、前記第１の記憶手段に記憶された情報を読取る読取手段と、前記収納手段に収納された区分カードを読取る第２のカード読取手段と、前記収納手段に収納された前記排除券を検査する第２の検査手段と、この第２の検査手段の検査結果に基づいて区分された排除券を集積する第２の排除券集積手段と、前記読取手段によって読取られた情報、前記第２のカード読取手段によって読取られた区分カードの固有情報、前記第２の検査手段の検査結果を記憶する第３の記憶手段と、前記区分カードの固有情報を基に当該区分カードによる検査単位ごとの前記第３の記憶手段に記憶された情報及び前記第２の検査手段の検査の結果排除された第２の排除券集積装置に排除された排除券情報を基に供給された前記紙葉類の処理量を照合する照合手段と、を備えたことを特徴とする。
【発明の効果】
【０００９】
本発明によれば、排除券容器に処理単位ごとの検査結果情報が記憶されているため、排除券容器と、排除券処理装置をネットに接続しなくても、オフラインで排除券処装置が可能になり処理効率がよい。
【発明を実施するための最良の形態】
【００１０】
以下、図面を参照して本発明の実施例を説明する。
【実施例１】
【００１１】
図１は、本発明の実施例１による紙葉類処理システム１００の外観図である。図２は、本発明の実施例による検査機３の機能ブロック図である。また、図３は、排除券集積装置３３２、及びこれに着脱可能に組み込まれた排除券容器（排除券カセットともいう）４０の動作を説明する図である。
【００１２】
この紙葉類処理システム１００は、束処理機１、束搬送機２、紙葉類処理装置３０を備えた検査機３、排除券処理機４及び集中制御卓５から構成される。
【００１３】
束処理機１には、未鑑査束が供給される。この供給された未鑑査束は、１００枚ごとに紙帯（小帯）で結束された把を１０把まとめて紙帯（大帯）で結束したもので、未鑑査状態のものをいう。この未鑑査束は、順番に取り出されて束搬送機２で搬送され、検査機３に供給される。
【００１４】
検査機３は、束搬送機２から供給された未鑑査束の大帯、小帯を切断する前処理装置（図示しない）、及びこの前処理装置で１枚ごとに分離された紙葉類Pは紙葉類処理装置３０に供給される。
【００１５】
紙葉類処理装置３０は、供給された紙葉類Pを１枚ずつ取出して、搬送路上を搬送する。このようにして搬送された紙葉類Pは、上記搬送路上に配置された紙葉類検査装置３２によって判別され、正券、損券又は排除券に区分される。
【００１６】
正券は、紙葉類処理装置３０に配置された集積装置３３３に集積され、所定枚数（例えば、１００枚）に達するごとに小帯結束装置３３４によって紙帯（小帯）で結束され把が形成される。このようにして形成された把は、１０個積層されて大帯結束装置３３５によって紙帯又はプラスチックフィルムからなる大帯で結束されて束が形成される。
【００１７】
排除券Ｐｒは、検査機３内部に配置された排除券集積装置３３２の一時集積個３３２ｂに集積される。その後、当該処理単位の処理が終了すると、当該排除券Ｐｒは、下部に配置された排除券容器４１に収納される。
【００１８】
集中制御卓５は、上述した束整理機１、束搬送機２、検査機３及び排除券処理機４と接続され、当該装置によって処理された紙葉類Pの管理が行われる。
【００１９】
検査機３には、操作員が操作する操作表示部３１が設けられている。この操作表示部３１の操作は、制御部３４に通知される。制御部３４は、操作表示部３１から通知された情報を搬送制御部３３に通知する。
【００２０】
この搬送制御部３３は、供給部３３０、搬送路３３１、排除券集積装置３３２、集積装置３３３、小帯結束装置３３４、大帯結束装置３３５及び裁断装置３３６などを制御する。
【００２１】
供給部３３０は、前処理機（図示しない）で大帯及び小帯がカットされた紙葉類束Ｐｓ（例えば、１０００枚紙葉類）が一括して供給台（図示しない）に供給される。この際、この処理単位ごとの紙葉類束（例えば、１０００枚紙葉類）の先頭又は最後に区分カードCが挿入される。この区分カードCは、処理単位を区分するもので、ヘッダーカードと称する場合もあるが同義に使用される。本実施例では、先頭に区分カードCが挿入された場合を想定して説明する。
【００２２】
このようにして供給部３３０供給された区分カードC及び紙葉類束Pｓからなる媒体は、取出ロータ（図示しない）などの取出手段によって１枚ずつ取り出されて搬送路（搬送手段）３３１に供給される。
【００２３】
搬送路３３１は、供給部３３０から供給された紙葉類Ｐを１枚ずつ一定間隔で搬送する。このようにして搬送された紙葉類Ｐは、搬送路３３１に配置されたカード読取装置（第１のカード読取手段）３３７及び紙葉類検査装置３２（第１の検査手段）に搬送される。
【００２４】
区分カードCには、当該処理単位ごとの紙葉類Pの固有情報が記録されている。この区分カードＣの固有情報には、紙葉類処理装置３０で処理する１０００枚紙葉類の券種、枚数、供給源、処理する検査機の機体番号などを含み、当該１０００枚紙葉類を処理するに当たって必要とされる属性が記憶されている。
【００２５】
本実施例では、上記属性をバーコードで印字した区分カードCを用いているが、これに限らず、読取り・書込み可能な磁気的方法によって記録されたカードを用いることも可能である。
【００２６】
この区分カードCに記録された情報は、搬送路３３１に配置されたカード読取装置３３７によって読取られる。この読取られたデータは記憶部３５に記憶される。
【００２７】
紙葉類検査装置３２は、搬送状態検知部３２０、真偽検知部３２１、券種検知部３２２、正損検知部３２３及び総合判別部３２４などから構成される。
【００２８】
搬送状態検知部３２０は、搬送される紙葉類Pの搬送状態を検知する。この検知の結果、搬送状態の異常が検知された場合は、排除券Ｐｒに区分される。
【００２９】
真偽検知部３２１は、搬送される紙葉類Pの真偽（本物の券か偽物の券か）を検知する。この検知の結果、本物の券は正券に区分され、偽物の券は排除券Ｐｒに区分される。
【００３０】
券種検知部３２３は、搬送される紙葉類Pの種類を検知する。この検知の結果、取扱い券種以外の券は適用外券として排除券Ｐｒに区分される。
【００３１】
正損検知は、搬送される紙葉類Ｐの正損（最流通可能な正券か、最流通不可能な損券か）を検知する。この検知の結果、損券に区分された紙葉類Pは、裁断装置３３６裁断される。
【００３２】
上述した各検知部の検知結果は、総合判別部３２４で総合判別され、その判別結果は、上記記憶部（第１の記憶部）３５に記憶される。また、この結果に基づいて最終的な当該紙葉類Pの区分先が決定されると、搬送制御部３３にこの区分先が通知されて区分処理される。すなわち正券は、集積装置３３３に集積され小帯結束装置３３４で１００枚ごとに結束されて把が形成される。また、当該把は１０個さらに集積されてプラスチックフィルムなど大帯結束装置３３５で結束されて束が形成される。
【００３３】
損券は、裁断装置３３６に送られ、当該裁断装置３３６で裁断されて紙葉類片となり、気送管（図示しない）に送られて排出される。
【００３４】
排除券は、区分カードC、搬送異状券（例えば、２枚取券、搬送スキュー券、搬送位置ズレ券）、適用外券又は偽券を含んでおり、排除券集積装置３３２に集積される。この際、上記区分カードCが最初に集積され、その上面に排除券Ｐｒが集積される。
【００３５】
上述した制御部３４には、外部機器と通信するためのインターフェース３４１、３４２３４３が接続されている。インターフェース３４１は前処理機に接続され、インターフェース３４２は束処理機１に接続され、インターフェース３４３はＬＡＮ（Local Area Network）に接続され、このＬＡＮに接続された集中監視卓５及び排除券処理機（排除券処理装置）４と通信可能に構成されている。
【００３６】
図３は、紙葉類処理装置３０に配置された排除券集積装置３３２及び排除券容器４０の部分を示す図である。
【００３７】
排除券集積装置３３２は、紙葉類検査装置３２によって排除券Ｐｒに区分され排除券搬送路３３１ｂに搬送された排除券Ｐｒを羽根車３３２ａにより集積する。この羽根車３３２ａは、排除券搬送路３３１ｂの終端に配置され、当該排除券搬送路３３１ｂによって搬送されてきた紙葉類Ｐｒを羽根と羽根の間で取込み、回転しながら紙葉類Ｐｒ（図示しない）の搬送エネルギーを吸収することにより排除券Ｐｒにダメージを与えずに取込むことができる。
【００３８】
このようにして取込まれた排除券Ｐｒは、一時集積庫（第１の排除券集積手段）３３２ｂに集積される。なお、上記区分カードＣによって、次に処理される媒体（区分カードＣ及び紙葉類Ｐ）の検査によって排出された排除券Ｐｒと区分することができる。
【００３９】
なお、上記区分カードCの供給方法には、上述した方法の他、排除券集積装置の羽根車の近傍から自動挿入する方法もある。
【００４０】
このようにして、処理単位（１０００枚紙葉類）の処理が終了するとシャッタ３３２ｃが開き、（図に示す紙面の裏側に移動する。）シャッタ３３２ｃに搭載されていた区分カードＣ及び排除券Ｐｒは、排除券容器（収納手段）４０に落下し、バックアッププレートＢＫ上に積載される。区分カードＣ及び排除券Ｐｒは、当該一時集積個３３２ｂの下部に配置された排除券容器４０に収納される。このようにして処理単位ごとに排除券Ｐｒ及び区分カードＣが排除券容器４０に収納される。
【００４１】
図４は、上述した排除券容器４０の概略斜視図である。図示した例は、上記方法によって集積された区分カードＣ及び排除券Ｐｒが集積された様子を示す。
【００４２】
なお、バックアッププレートＢＫ上に集積された紙葉類は、押込機構（図示しない）によって排除券容器４０内に押込まれるが、この排除券容器の押込機構は、本発明の趣旨ではないのでその説明を省略する。
【００４３】
図５は、排除券処理機（排除券処理装置）４の概略構成を示す図である。図６は、排除券処理機４の機能ブロック図である。以下これらの図を参照して排除券処理機４を説明する。
【００４４】
排除券処理機４は、排除券供給部４１、取出装置４２、搬送装置４３、検査装置４４、裁断装置４５、排除券集積装置４６、区分カード読取装置４７、及び排除券容器取付部４８などで構成され、排除券容器４０に収納された排除券Ｐｒを処理する装置である。
【００４５】
排除券容器４０には、上述した排除券Ｐｒが収納されており、排除券処理機４に設けられた排除券容器取付部４８に装着される。この装着によって、排除券容器４０と排除券処理機４が機構的及び電気的に接続され、排除券容器４０に収納されている排除券Ｐｒ及び区分カードＣの固有情報が排除券処理機４の読取手段としてのインターフェース４９４によって読取られる。読取られたデータは、排除券処理機内に設けられた記憶部（第２の記憶部）に記憶される。
【００４６】
操作員は、排除券容器４０に収納されている区分カードＣ及び対応する排除券Ｐｒを一対にして、排除券容器４０から取り出す。次に、取出した当該区部カードＣをカード読取装置（第２のカード読取手段）４７に読み込ませる。この結果、当該排除券Ｐｒの元となった紙葉類Ｐの固有情報が排除券処理機に認識される。
【００４７】
続けて、当該排除券Ｐｒを排除券供給部４１のバックアッププレート４１ａに供給する。供給された排除券Ｐｒは、操作部４１ｂからの操作員による開始操作により、供給部４１のバックアッププレート４１ａに供給された排除券Ｐｒの取出しが開始される。
【００４８】
取出装置４２は、バックアッププレート４１ａに載置された排除券Ｐｒを駆動する駆動装置（図示しない）、この駆動装置によって排除券Ｐｒの最上面の排除券Ｐｒを検知するセンサ（図示しない）、このセンサにより排除券Ｐｒを取出し位置に導き、当該排除券Ｐｒが取出し位置にあるときに当該排除券Ｐｒを取り出す取出しロータ４２ａなどで構成される。
【００４９】
この取出しロータ４２ａにより１枚ずつ取り出された排除券Ｐｒは搬送装置４３によって搬送される。
【００５０】
この搬送装置４３によって搬送された排除券Ｐｒは検査装置（第２の検査手段）４４によって搬送状態検知及び真偽検知が行われる。この検査の結果カード読取装置によって読み取られた固有情報及び検査装置４４の検査結果は記憶部（第３の記憶手段）４９１に記憶される。また、この検査の結果、搬送異状券及び偽券以外の排除券は、裁断装置４５によって裁断される、上記以外の搬送異常券、検査不能券又は偽券は、排除券集積装置（第２の排除券集積手段）４６に集積される。
【００５１】
この排除券集積装置４６に集積された排除券Ｐｒは、操作員によって取り出され、操作員によって計数及び目視確認が行われる。この計数結果は、操作・表示部４１から入力される。この入力結果と当該記憶部４９１に記憶された処理データを基に、排除券集積装置４内部のＣＰＵ４９によって照合確認が行われる。
【００５２】
ＣＰＵ４９は、本体制御部４９４、記憶部４９１、プリンタ４９２及びインターフェース４９３・４９４と接続され、これらを制御する。
【００５３】
本体制御部４９５は、操作・制御部４１、取出装置４２、検査装置４４、裁断装置４５、排除券集積装置４６及びカード読取装置４７を制御又は駆動する。
【００５４】
操作・表示部４１は、操作員によって入力された情報を読取り、又はその読取り結果を表示部に表示する。
【００５５】
取出装置４２は、紙葉類処理装置３０の供給部３３０の取出装置と基本的に同様である。紙葉類処理装置３０の供給部３３０には、前処理機３１で供給可能になった紙葉類Ｐが自動供給されるのに対して排除券処理機４では、操作員が排除券Ｐｒを供給する部分が異なる。
【００５６】
検査装置４４は、紙葉類処理装置３０の検査装置３２で判別された排除券Ｐｒを判別するために、その判別レベルが異なって用いられる場合が多く、また、当該検査装置４４では、正損検知を行わない。すでに正損検知が行われているからである。
【００５７】
裁断装置４５は、この裁断装置４５に搬送されてくる排除券Ｐｒを裁断する。この裁断装置４５の基本的な機能は、紙葉類処理装置３０内部に配置された裁断装置３３６の裁断機能と同じである。裁断装置３３６は損券Ｐｃを裁断するのに対して、裁断装置４５は排除券Ｐｒを裁断する。
【００５８】
排除券集積装置４６は、排除券処理機４内部で排除券Ｐｒと判別された券を集積する部分であり、偽券及び判別不能権が集積される。
【００５９】
以上の構成を有する排除券処理機４において、本発明の実施例に基づいて、例えば１０００枚の紙葉類Ｐ及び区分カードＣからなる媒体を処理する場合の動作を説明する。
【００６０】
初めに、上記媒体を紙葉類処理装置３０の供給部３３０に供給すると、区分カードＣは、カード読取装置３３７によって読取られる。また、紙葉類Ｐは、紙葉類検査装置３２の各検知部で検知され、正券Ｐｆ、損券Ｐｃ及び排除券Ｐｒに検査される。
【００６１】
ここで排除券Ｐｒは、排除券集積装置３３２に集積された後、排除券容器４０に収納される。このとき、紙葉類処理装置３０の制御部３４は、区分カードＣに記憶されている固有情報及び１０００枚紙葉類の検査結果からなるデータを、搬送制御部３３を介し、排除券容器４０に送信する。
【００６２】
排除券容器４０は、その内部に設けられた記憶部４０ｂに受信したデータを記憶する。この結果、排除券容器４０の記憶部には、１０００枚紙葉類の検査結果が保存される。また、この保存されたデータは、保存後、供給電源が切れた場合であってもデータが消去しない不揮発メモリを用いて構成される。
【００６３】
さらに、制御部３４は、上記データをインターフェース３４３及びＬＡＮを介して集中監視卓５に送信する。集中監視卓５は、同様にして、他の検査機３から送信されてくる紙葉類の検査結果も当該集中監視卓５内部に設けられた記憶部（図示しない）又は、別途設けられたファイルサーバ（図示しない）などに保存する。
【００６４】
次に、操作員は、当該排除券容器４０を紙葉類処理装置３０から取外し、排除券処理機４の排除券容器取付部４８に取付ける。本実施例では、当該排除券容器４０はカセット状に構成されており、この排除券容器４０を排除券容器取付部４８に挿入することにより背面に配置されたコネクタ４０ａが接続されるように構成されている。
【００６５】
この排除券容器４０の取付けによって排除券容器４０の記憶部４０ｂ（図３参照）に記憶された１０００枚紙葉類の処理結果が排除券処理機４によって読取られ、排除券処理機が制御する記憶部４９１に記憶される。
【００６６】
次に、操作員が、取付けられた排除券容器４０の前面カバー（図示しない）を開け、収納されている排除券Ｐｒ及び区分カードＣを取り出す。
【００６７】
次に、操作員は、この取出した区分カードＣをカード読取装置４７に挿入する。カード読取装置４７は、当該区分カードＣの固有情報を読取り、記憶部４９１に保存する。
【００６８】
次に、操作員は、排除券容器４０に収納されている排除券Ｐｒを排除券処理機４の供給部４２ａに供給し、操作・表示部４１から取込みを開始する。取込まれた排除券Ｐｒは検査装置４４によって検査される。
【００６９】
この検査の結果、偽券又は搬送異状券など検査不能券は、排除券集積部４６に集積される。それ以外の券は、裁断装置４５によって裁断される。
【００７０】
裁断されずに排除券集積装置４６に集積された排除券は、操作員によって１枚ずつ確認される。確認の結果は操作員によって計数され、操作・表示部４１から入力される。この入力の結果は、ＣＰＵ４９によって上記区分カードＣの情報との照合が行われる。
【００７１】
以上説明したように本発明の実施例によれば、排除券容器に区分カードに記録された固有情報と共に、区分カードで区分された紙葉類の判別情報が記憶されているため、この判別情報と、排除券処理機の処理結果を照合することにより、排除券処理機単独で排除券処理を行うことが可能になり、１つのシステム接続できる検査機や排除券処理機の台数の制限を緩和することが可能になる。
【図面の簡単な説明】
【００７２】
【図１】本発明の実施例１による紙葉類処理システムの外観図。
【図２】図１に搭載される検査機の機能ブロック図。
【図３】図２に示す排除券集積装置及び排除券容器の動作を説明する図。
【図４】排除券容器の斜視図。
【図５】図１に示す排除券処理機の概略構成図。
【図６】図５に示す排除券処理機の機能ブロック図。
【符号の説明】
【００７３】
１  束処理機
２  束搬送機
３  検査機
３０  紙葉類処理装置
３１  操作・表示部
３２  紙葉類検査装置
３３  搬送制御部
３４  制御部
３５  記憶部
４  排除券処理機
４０  排除券容器
４０ａ  コネクタ
４１  操作・表示部
４２  取出装置
４３  搬送装置
４４  検査装置
４５  裁断装置
４６  排除券集積装置
４７  カード読取装置
４８  排除券容器取付部
４９  ＣＰＵ
４９１  記憶部
５  集中制御卓
【図１】
2009064194.tif 000003
【図２】
2009064194.tif 000004
【図３】
2009064194.tif 000005
【図４】
2009064194.tif 000006
【図５】
2009064194.tif 000007
【図６】
2009064194.tif 000008